(57)【特許請求の範囲】
【請求項１】
正面側が開放したボックス状の囲い枠本体と、この囲い枠本体における正面側の開放部にヒンジ手段により開閉可能に取り付けられた額縁状の開閉枠と、この開閉枠の開口部を塞ぐように周囲を当該開閉枠に支持することにより着脱可能に取り付けられ、ゆがみの起こり易い材料で形成された表示板とからなる看板装置において、
この看板装置の内側に位置し、額縁状の前記開閉枠における少なくとも一対の対向縁部にそれぞれ両端部が取り付けられ、前記開閉枠の開口部を横切る少なくとも１つの取付け棒と、この取付け棒に設けられた保持部に両端側を係止して支持され、中間部が前記表示板の方向に突出した押さえ部材とから構成され、前記押さえ部材が透光性の材料で形成されていると共に中間部の前記突出部が前記表示板に接触するか若しくは近接していることを特徴とする看板装置。
【請求項２】
前記押さえ部材が弾性材で形成され、その両端を前記取付け棒の前記保持部に係止させることで弓なりに曲げて突っ張らせ、前記表示板の方向に突出させることを特徴とする請求項１に記載の看板装置。
【請求項３】
前記表示板が比較的に薄い合成樹脂製の板で形成され、更に前記押さえ部材も合成樹脂製の細長い板材で形成されていることを特徴とする請求項１又は２に記載の看板装置。
【発明の詳細な説明】
【０００１】
【発明の属する技術分野】
本発明は看板装置に関し、特に大型の標識体或いはこれに類似する大型の看板装置において、ゆがみを起こし易い例えばアクリル板等からなる表示板の押さえ手段を備える看板装置に関する。
【０００２】
【従来の技術】
従来、例えば横方向又は縦方向に長い大型の看板装置などは、スーパーマーケットをはじめとして多くの店舗で、その出入り口上部の建物壁面に取り付けられている。一般に、この種の大型の看板装置は、横長で、正面側が開放したボックス状の囲い枠本体を店舗である建物壁面に固定し、この囲い枠本体における正面側の開放部に額縁状の開閉枠をヒンジ手段等を用いて開閉可能に取り付けて構成されていた。
【０００３】
通常、このような構成の看板装置では、宣伝広告用の文字や図柄を印刷したアクリル板等からなる表示板即ち面板が開閉枠に取り付けられ、他方、囲い枠本体の内部には蛍光灯などの照明器具や、照明器具からの光を前方に反射して有効に活用するための反射板などが取り付けられていた。
【０００４】
そして、この看板装置の使用中に囲い枠本体内の照明器具が故障したり、ランプが切れたり、或いは反射板が汚れたりした時に、開閉枠をヒンジ手段を中心として回転して囲い枠本体の正面側開放部をあけ、内部の照明器具の保守点検、ランプ交換、反射板の清掃などを行っている。
【０００５】
【発明が解決しようとする課題】
しかしながら、このような看板装置において、表面に宣伝広告用の文字や図柄が描かれている表示板即ち面板は、一般的には前述したようにアクリル板で形成され、その厚みは比較的に薄くされている。このように、この種の表示板は、比較的に広い面積を備えながらもその厚みが薄いため、非常に軽量ではあるが、樹脂成形後にゆがみを起こし易い、という問題があった。
【０００６】
また、ゆがみを起こしやすいという機械的性質を表示板が備えているが故に、これを開閉枠に取り付けて看板装置として使用している時に強い風が吹き付けたりすると風圧に押されて、表示板の中央部に瞬間的なへこみを起こし且つ風圧が無くなると瞬時に復元をするという繰り返し変形が起こり、その結果パタパタと異音を発するという問題があった。
【０００７】
更に、このような繰り返し変形が長い期間に亘って起きると、表示板に繰り返し応力が作用して変形疲労が起こり、ひび割れ等の原因となる等種々の問題を生じる。そのため、従来のこの種の看板装置には、風圧等によって表示板がゆがまないように内側から補強した構造のものもあった。
【０００８】
風圧等による表示板のゆがみを防止する従来の補強手段としては、表示板を保持した額縁状の枠体が前面開放部に取り付けられている囲い枠本体の内部に、前端部が表示板から多少の隙間をあけるか或いは密着させて位置するように補強棒を表示板の表面に対してほぼ直交するように配置してその後端部を背面板に固定支持する方法が一般的であった。このような補強棒は、看板装置の長手方向に所定の間隔をあけて複数本配置される。
【０００９】
しかし、このような補強棒を囲い枠本体の内部に配置してその後端部を背面板に固定支持する従来の耐風圧補強手段では、表示板を保持している枠体が囲い枠本体から開閉できなかったり、囲い枠本体の背面板に設置された照明器具からの光線が補強棒の前端部で邪魔をされて表示板に影を作り、表示板の見栄えが悪くなる等、耐風圧用補強手段設置の影響による種々の別な問題が生じていた。
【００１０】
表示板を保持している枠体が囲い枠本体から開閉できなくなると、囲い枠本体の内部に設置されている照明装置の保守点検や反射板の清掃等が、非常に面倒となる。そのため、従来では、表示板を保持している枠体を開閉枠として機能させながらもこの開閉枠に保持されている表示板の風圧等によるゆがみの発生を防止できるような看板装置の開発が望まれていた。
【００１１】
この発明の目的は、かかる従来の問題点を解決するためになされてもので、表示板が風圧等で繰り返し変形を起こさないようにすると共にこの表示板を保持している枠体が囲い枠本体に対して開閉できる開閉枠とされ、しかも表示板の見栄えの低下を起こさない看板装置を提供することにある。
【００１２】
【課題を解決するための手段】
この発明は、正面側が開放したボックス状の囲い枠本体と、この囲い枠本体における正面側の開放部にヒンジ手段により開閉可能に取り付けられた額縁状の開閉枠と、この開閉枠の開口部を塞ぐように周囲を当該開閉枠に支持することにより着脱可能に取り付けられ、ゆがみの起こり易い材料で形成された表示板とからなる看板装置において、その内側に位置し、額縁状の開閉枠における少なくとも一対の対向縁部にそれぞれ両端部が取り付けられ、開閉枠の開口部を横切る少なくとも１つの取付け棒と、この取付け棒に設けられた保持部に両端側を係止して支持され、中間部が表示板の方向に突出した押さえ部材とから構成され、押さえ部材が透光性の材料で形成されていると共に中間部の突出部が表示板に接触するか若しくは近接していることを特徴とする。
【００１３】
また、この発明の看板装置では、押さえ部材が弾性材で形成され、その両端を取付け棒の保持部に係止させることで弓なりに曲げて突っ張らせ、表示板の方向に突出させることを特徴とする。更に、この発明の看板装置では、表示板を比較的に薄い合成樹脂製の板で形成することが好ましく、更に押さえ部材も合成樹脂製の細長い板材で形成することが好ましい。
【００１４】
このように構成されるこの発明の看板装置によると、使用中に表示板に強い風が吹き付けて開閉枠に保持された表示板が外側から風圧で押されても、内側に押さえ部材が配置されているため、表示板がゆがむことはなく、その結果異音の発生もなく、また耐久性も向上する。
【００１５】
しかも、このこの押さえ部材は、透光性の材料で形成され、且つその長さ方向中間部が表示板方向に突出した形状をしているため、囲い枠本体の背面板に取り付けられた照明器具からの照明光線は、その一部が押さえ部材の照明器具側表面で反射し、或いはその内部に入射屈折して突出側に導光され、突出部に集光して透過するため、表示板の内面にほぼ接触するか又は近接している突出部の輝度を高めることから、当該部分が影となって表示板に映ることがなく、従って見栄えの悪さを起こすこともない。
【００１６】
【発明の実施の形態】
次に、この発明の看板装置を図に示される実施形態について更に詳しく説明する。図１はこの発明の一実施形態に係る看板装置１の全体を示す斜視図、図２は図１の看板装置１を２−２線に沿って切断して示す断面図である。
【００１７】
更に、図３は図２に示される看板装置１に使用される押さえ部材を示す正面図、図４はこの押さえ部材を支持する取付け棒の正面図、及び図５は取付け棒に押さえ部材をその中間部が突出するように突っ張らせて保持した状態を示す側面図である。
【００１８】
図１には、この実施形態に係る看板装置１を一ブロックとして、これを２つ連接して配置することで構成された２連接式の看板装置Ａが示されている。これら各ブロックである看板装置１は同一構成であるので一方のブロックについてその構成を説明する。
【００１９】
図２の断面図から明らかなように、例えばアルミ材などから形成され、正面側が開放したボックス状の囲い枠本体２と、この囲い枠本体２における正面側の開放部にヒンジ手段３により開閉可能に取り付けられ、同様にアルミ材などから形成された額縁状の開閉枠４とから構成されている。この囲い枠本体２は、その背面板２ａを建物壁面に取り付けて固定される。
【００２０】
他方、開閉枠４は、アクリル板などのような透光性材料から形成された表示板５の周縁部を収容して保持し得るように内周囲に溝部４ａを形成した額縁状の構造とされている。なお、この開閉枠４における溝部４ａは、表示板５の周囲表面にがた付き防止と雨水浸入防止のためのスペーサ６を取り付けた状態で緊密に収容可能な大きさ及び形状に設計されている。
【００２１】
このような開閉枠４は、着脱可能なヒンジ手段３により囲い枠本体２の正面側開放部に回転可能に取り付けられている。このヒンジ手段３は特開平１１−１１９７１３号公報に開示されていて既に公知であり、またこの発明にとって特徴的な構造点ではないので、その詳細な説明は省略する。
【００２２】
開閉枠４には、前述したように宣伝広告用の文字や図柄等が印刷等で形成されるか又はそのようなフィルムが貼られたアクリル板５が当該開閉枠４の開口部を塞ぐように周縁部を溝部４ａに収容し且つスペーサ６を詰めて遊びがないようにしっかりと保持されている。
【００２３】
このように表示板５が保持された開閉枠４は、ヒンジ手段３によって囲い枠本体２の開放部側に開閉可能に取り付けられる。この看板装置１の内側において、額縁状の開閉枠４の開口部を上下方向に横切るように金属製の取付け棒７が配置されその両端部が開閉枠４に連結されている。具体的には、この取付け棒７の一端部は開閉枠４の上フレーム部に螺着され、また他端部は下フレーム部に螺着されて支持されている。
【００２４】
この取付け棒７は図４に示されているように間隔をあけた２ヶ所に長さの短い係止棒８が当該取付け棒７と直交するように溶接等で固定され、これにより保持部を構成している。この保持部を利用して押さえ部材９が取付け棒７に取り付けられる。
【００２５】
すなわち、押さえ部材９は、図３に示されるように透明なアクリル製の帯状板から形成され、その両端部には端縁から長手方向に向かって切欠き部９ａ、９ｂが形成されている。この切欠き部９ａ、９ｂの幅は取付け棒７の直径より僅かに大きく、従ってこの切欠き部９ａ、９ｂ内に取付け棒７を相対的に差し入れることができる。
【００２６】
また、押さえ部材９は、その一端における切欠き部９ａの最深部から他端における切欠き部９ｂの最深部までの長さＬ１が取付け棒７の２ヶ所に保持部として形成された係止棒８間の間隔Ｌ２より長い寸法となるように形成されている。そして、押さえ部材９の取付け棒７への具体的な取り付けは、次のようにしてなされる。
【００２７】
すなわち、図５に示されるように、押さえ部材９の一端に形成された切欠き部９ａに、取付け棒７に設けられた一方の係止棒８の下側（２つの係止棒８の間側）で取付け棒７を相対的に挿入するように連結係止し、次に他端に形成された切欠き部９ｂに、取付け棒７に設けられた他方の係止棒８の上側（２つの係止棒８の間側）で取付け棒７を相対的に挿入するように連結係止する。
【００２８】
この時、前述したように押さえ部材９における両端の２つの切欠き部９ａ、９ｂにおける最深部間の距離即ち長さＬ１は、取付け棒７の２ヶ所に保持部として形成された係止棒８間の間隔Ｌ２より長いため、押さえ部材９を弓なりにしならせながら他端の切欠き部９ｂ内に取付け棒９を相対的に挿入させ、押さえ部材９の両端が取付け棒７に沿って跳ね上がるのを係止棒８が阻止する。
【００２９】
更にその際、押さえ部材９は、その曲がり方向即ち突出部が図２に示されるように開閉枠４に保持された表示板５に向かうように取付け棒７に取り付けられる。このように押さえ部材９が取付け棒７に取り付けられる時、弓なりになって表示板５の方向に突出するが、その突出部即ち最も飛び出た部分９ｃが表示板５の表面に接触するかしないかの位置にくるようにこれら各部品の寸法は予め設計されている。
【００３０】
このような設計は、取付け棒７と表示板４との間隔と、押さえ部材９における両端の２つの切欠き部９ａ、９ｂにおける最深部間の距離即ち長さＬ１と、そして取付け棒７の２ヶ所に保持部として形成された係止棒８間の間隔Ｌ２とから計算により容易に得ることができる。
【００３１】
もちろん、押さえ部材９を取付け棒７に取り付ける時に強制的に弓なりにしならせなくても、予め弓なり形状の押さえ部材、或いは横Ｖ字形の押さえ部材を製造しておき、これを取付け棒７に取り付けて使用してもよいことは言うまでもない。しかし、前述した実施形態のように真っ直ぐな帯状板を弓なりにしならせて取付け棒７に取り付けて押さえ部材９とすると、この押さえ部材９がバネ性を備えることになる。
【００３２】
そのため、表示板５が風圧などでゆがんでも押さえ部材９が緩衝的にこれを押さえるので、衝撃音等の発生を防止することができるばかりではなく、表示板自体の耐久性も向上させることができる。このような押さえ部材９の設置は、開閉枠４の長さ方向において所定の間隔で複数設けることが好ましい。一般的ではあるが、通常の店舗の出入口の上部外壁面に設置する大型の看板装置では、おおよそ１ｍの間隔で１つの押さえ部材９を配置して表示板５を内側から押さえるようにすることが好ましい。
【００３３】
しかし、押さえ部材９の配置間隔は、表示板５の風圧などによるゆがみの発生が長手方向に直交する方向の長さや表示板５の厚さによって大きく異なることから、これらの要素を考慮した上で適宜決定することが好ましい。
【００３４】
このように構成されるこの発明の看板装置１によると、使用中に表示板５に強い風が吹き付けて開閉枠４に保持された表示板５が外側から風圧で押されても、内側に押さえ部材９が配置されているため、表示板５が内側から押さえ部材９により押されてゆがみの発生が防止され、その結果繰り返し変形により異音の発生も防止することができると共に表示板５の耐久性も向上する。
【００３５】
しかも、この押さえ部材９は、透光性の材料で形成され、且つその長さ方向中間部が表示板方向に突出した形状をしているため、囲い枠本体２の背面板２ａに取り付けられた照明器具（図示せず）からの照明光線（図５に矢印１０で示す）は、その一部が押さえ部材９の表面（囲い枠本体２の内側に面する表面）９ｄで反射し、或いはその内部に入射屈折して突出側に導光され、突出部９ｃに集光して透過する。
【００３６】
これにより、表示板５の内面にほぼ接触するか又は近接している突出部９ｃで照明光線の輝度が高まることから、当該部分が影となって表示板５に映ることがなく、従って見栄えの悪さを起こすこともない。
【００３７】
また、押さえ部材９は、開閉枠４に取り付けた取付け棒７に保持されているため、開閉枠４を囲い枠本体２に対して開閉することができるため、例えば、この看板装置１の囲い枠本体２内に取り付けられた照明器具のランプ等の交換や保守点検、及び反射板の清掃時なども非常に容易に行うことができる。
【００３８】
更に、前述したように開閉枠４に保持された表示板５の表面を看板装置１の内側から押さえ部材９で押さえることにより、表示板５を成型した後に生じることがある歪みなども、看板設置時にこの押さえ部材９により補正することができるため、設置時における表示板５の平坦度を高めることができる。
【００３９】
なお、前述した実施形態に係る看板装置１では、押さえ部材９の取付け棒７への連結係止方法として、帯状板からなる押さえ部材９の両端部切欠き部９ａ、９ｂを形成し、他方取付け棒７には係止棒８を十字形になるように固定して保持部を形成することで両者を連結係止したが、この発明ではこのような連結構造に限定されるものではなく、例えば取付け棒の２ヶ所に穴を形成し、他方押さえ部材９には両端縁に差込み片を形成し、この両端の差込み片を取付け棒の２ヶ所の穴にそれぞれ差し込んで連結係止してもよい。
【００４０】
【発明の効果】
以上説明したように、この発明の看板装置によれば、開閉枠に取付け棒を取付け、この取付け棒に押さえ部材を保持して表示板を内側から押さえるようにしたことにより、表示板の風圧等による繰り返し変形の発生を防止することができる。
【００４１】
しかも、この表示板を保持している開閉枠が、押さえ部材の存在によっても囲い枠本体に対して開閉することができることから囲い枠本体の内部に設置された照明器具や反射板等の保守点検作業も非常に容易に行うことができ、更には押さえ部材が照明光線の影となることもないため表示板の見栄えの低下を起こすこともない。
【図面の簡単な説明】
【図１】この発明の一実施形態に係る看板装置を示す斜視図である。
【図２】図１に示される実施形態の看板装置を２−２線に沿って切断して示す断面図である。
【図３】図２に示される看板装置に使用される押さえ部材を示す正面図である。
【図４】図３に示される押さえ部材を取り付ける取付け棒を示す正面図である。
【図５】図３に示される押さえ部材を図４に示される取付け棒に保持させた状態を示す側面図である。
【符号の説明】
１  看板装置
２  囲い枠本体
２ａ  背面板
３  ヒンジ手段
４  開閉枠
４ａ  表示板周縁部挿入用の溝部
５  表示板
６  スペーサ
７  取付け棒
８  押さえ部材端部係止用の係止棒
９  押さえ部材
９ａ、９ｂ  係止用の切欠き部
９ｃ  押さえ部材の突出部
９ｄ  押さえ部材の表面
１０  照明器具からの照明光線の方向
【図１】
0004592180.tif 000002
【図２】
0004592180.tif 000003
【図３】
0004592180.tif 000004
【図４】
0004592180.tif 000005
【図５】
0004592180.tif 000006